(57)【要約】  試料を分析するシステムまたは方法は、入力光源、入力光源から光を受光して、複数の波長の各々で試料を順次照射すべく配置された二重減算型モノクロメータ、複数の励起波長の各々について試料により発光された光の複数の波長を受光および検出すべく配置されたマルチチャネル蛍光検出器、試料を透過する光を受光および検出すべく配置された吸収検出器、およびモノクロメータ、蛍光検出器、および吸収検出器と通信状態にあるコンピュータを含み、当該コンピュータはモノクロメータを制御して複数の波長の各々で試料を順次照射しながら、蛍光および吸収検出器から受光した信号に基づいて試料の吸収および蛍光を測定する。【選択図】図３
2014510915.tif 000002
【特許請求の範囲】
【請求項１】
試料分析システムにおいて、
入力光源と、
前記入力光源から光を受光して、複数の波長の各々で前記試料を順次照射すべく配置された二重減算型モノクロメータと、
前記複数の励起波長の各々について前記試料により発光された光の複数の波長を受光および検出すべく配置されたマルチチャネル蛍光検出器と、
前記試料を透過する光を受光および検出すべく配置された吸収検出器と、
前記モノクロメータ、前記蛍光検出器、および前記吸収検出器と通信状態にあるコンピュータとを含み、前記コンピュータが前記モノクロメータを制御して前記複数の波長の各々で前記試料を順次照射しながら、前記蛍光および吸収検出器から受信した信号に基づいて前記試料の吸収および蛍光を測定することを特徴とする試料分析システム。
【請求項２】
請求項１に記載のシステムにおいて、前記コンピュータが、同時に得られた吸収測定値を用いて蛍光測定値を補正することを特徴とするシステム。
【請求項３】
請求項１に記載のシステムにおいて、前記吸収検出器が少なくとも１つのフォトダイオードを含むことを特徴とするシステム。
【請求項４】
請求項１に記載のシステムにおいて、前記モノクロメータからの光を前記試料へ向けるべく、および前記蛍光検出器へ高いスループットを提供しながら前記試料から前記吸収検出器へ実質的に視準されたビームを提供すべく配置された少なくとも１つの光学素子を更に含むことを特徴とするシステム。
【請求項５】
請求項４に記載のシステムにおいて、前記少なくとも１つの光学素子が、前記吸収検出器に関連付けられた光学機器よりも高速な関連Ｆ数を有する凹面鏡を含み、前記吸収検出器に関連付けられた前記光学機器が前記吸収検出器の前面に配置された開口を有するバッフルを含むことを特徴とするシステム。
【請求項６】
請求項１に記載のシステムにおいて、前記コンピュータが、長い波長を有する光から短い波長を有する光へ進みながら前記試料を順次照射すべく前記モノクロメータを制御することを特徴とするシステム。
【請求項７】
請求項１に記載のシステムにおいて、
ビームスプリッタと、
前記コンピュータ通信状態にある基準検出器とを更に含み、前記ビームスプリッタが前記モノクロメータからの光の一部を前記基準検出器へ向けるべく配置されていて、前記コンピュータが、前記基準検出器から信号に基づいて前記吸収および蛍光測定値の少なくとも１つを調整することを特徴とするシステム。
【請求項８】
請求項１に記載のシステムにおいて、前記蛍光検出器が、前記コンピュータと通信状態にある冷却ＣＣＤアレイへの入力光を回折すべく配置された収差補正済み回折格子を含むことを特徴とするシステム。
【請求項９】
請求項１に記載のシステムにおいて、前記モノクロメータと前記試料との間に配置されていて前記モノクロメータからの光の第１の部分を前記試料へ向け、前記モノクロメータからの光の第２の部分を空試料へ向ける少なくとも１つの光学素子を更に含むことを特徴とするシステム。
【請求項１０】
請求項９に記載のシステムにおいて、前記空試料を透過した光が前記吸収検出器へ選択的に向けられることを特徴とするシステム。
【請求項１１】
請求項９に記載のシステムにおいて、前記空試料を透過した光を検出すべく配置された第２の吸収検出器を更に含むことを特徴とするシステム。
【請求項１２】
請求項９に記載のシステムにおいて、前記少なくとも１つの光学素子が取り外し可能なビームスプリッタを含むことを特徴とするシステム。
【請求項１３】
請求項１に記載のシステムにおいて、前記吸収検出器が、
回折格子と、
前記回折格子により回折された光を検出すべく配置されたマルチチャネル検出器とを含むことを特徴とするシステム。
【請求項１４】
試料を分析する方法において、
二重減算型モノクロメータからの複数の励起波長で前記試料を照射するステップと、
前記試料を透過する光を検出することにより前記試料による吸収を測定するステップと、
マルチチャネル検出器を用いて各励起波長について前記試料により発光された光の発光スペクトルを検出することにより前記試料の蛍光を測定するステップとを含むことを特徴とする方法。
【請求項１５】
請求項１４に記載の方法において、前記吸収測定値を用いて前記蛍光測定値を補正するステップを更に含むことを特徴とする方法。
【請求項１６】
請求項１４に記載の方法において、前記吸収測定が、前記モノクロメータから光の一部を受光すべく配置された基準検出器により検出された光度に基づいて調整されることを特徴とする方法。
【請求項１７】
試料を分析するシステムにおいて、
励起波長の選択された帯域を出力すべく配置された少なくとも２つの回折格子を有するモノクロメータと、
前記モノクロメータからの光を試料へ向けるべく配置された第１の凹面鏡と、
基準フォトダイオードと、
前記第１の凹面鏡からの光の一部を前記基準フォトダイオードへ、および前記第１の凹面鏡からの光の第２の部分を前記試料へ向けるべく配置されたビームスプリッタと、
前記試料を透過する光を受光すべく配置された吸収検出器と、
前記吸収検出器と前記試料との間に配置された開口を有するバッフルと、
前記試料により発光された光を第１の検出器へ向けるべく配置された第２の凹面鏡と、
励起波長の各帯域について検出器格子からの回折光の複数の次数を同時に検出すべく配置されたマルチチャネル撮像検出器と、
励起波長の複数の帯域の各々について前記試料の吸収および蛍光を同時に検出すべく前記モノクロメータ、前記基準フォトダイオード、前記吸収検出器、および前記マルチチャネル撮像検出器と通信状態にあるプロセッサとを含むこと特徴とするシステム。
【請求項１８】
請求項１７に記載のシステムにおいて、前記第１および第２の凹面鏡が、前記吸収検出器に関連付けられた光学機器より高速の光学機器を提供すべく関連付けられたＦ数を有することを特徴とするシステム。
【請求項１９】
請求項１７に記載のシステムにおいて、前記吸収検出器が、入力光の複数の回折次数を同時に検出すべく配置された回折格子および光検出器アレイを有する分光計を含むことを特徴とするシステム。
【請求項２０】
請求項１７に記載のシステムにおいて、前記プロセッサが、共通の励起波長帯域に関連付けられた吸収測定値を用いて蛍光測定値を同時に調整することを特徴とするシステム。
【請求項２１】
請求項１７に記載のシステムにおいて、前記プロセッサが、短波長帯域の前に長波長帯域で前記試料を順次照射すべく前記モノクロメータを制御することを特徴とするシステム。
【発明の詳細な説明】
【技術分野】
【０００１】
本開示は一般に、蛍光および吸収測定を用いた試料の定量および／または定性分析に関する。
【背景技術】
【０００２】
吸収分光および蛍光分光を含む分光分析を用いて試料内に存在する各種の懸濁および溶解された有機および／または無機物質あるいは化合物を識別して測定または定量化することができる。この種の分析は、例えば化学、食品科学、生物学、薬学、材料／ナノテクノロジー、および各種環境、地質学、水理学、海洋学／湖沼学、および土壌科学の応用における水質分析において広範な用途を有している。分光光度測定を用いて、各々が例えば約７００〜２００ｎｍの範囲の波長を有する可視−紫外線（ＶＩＳ−ＵＶ）範囲にある光を吸収する発色団を含む化合物を検出および定量化することができる。吸収される光エネルギーの量は一般に、化合物の濃度および化合物内の移動距離に応じて変化する。同様に、ある種の化合物は、着色または発色物質、すなわち短波長励起光エネルギーの吸収および長波長（且つ低エネルギー）発光エネルギーの再放出に伴う特徴的な蛍光に基づいて識別および定量化することができる。
【０００３】
吸収および蛍光分光は、水質分析用途に用いられ、腐植およびフルボ酸、葉緑素、タンパク質およびアミノ酸、核酸、下水、バクテリア、肥料、農薬等、各種の化合物を含む着色または発色溶解有機物（ＣＤＯＭ）を識別および測定してきた。従来技術における一戦略は、相応の測定器を用いて別々の蛍光および吸収測定を実行することである。その結果得られたデータは、各種の市販ソフトウェアアプリケーションを用いて相関計算および／または補正を実施することができる。しかし、別々の測定は、所望の分析および蛍光スペクトル補正を行うために試料およびデータの転送を必要とする。また、単一チャネル検出器（典型的には光電子増倍管（ＰＭＴ））を有する励起および発光走査モノクロメータを用いる蛍光光度計は多くの場合走査時間が３０〜９０分以上であり、時間経過に伴いおよび／または励起光への露光により劣化し得る不安定な化合物を正確に検出および定量化することができない。同様に、そのように長い走査時間を用いて得られた結果の精度は、溶解ガス、ｐＨ、凝集、沈殿およびその他の化学的プロセスにおいて時間依存する変化により悪影響を受ける恐れがある。長い走査時間と比較的限られたラマン信号対雑音比が組み合わさって、調整された吸収および蛍光の読み取りが不確実および統計的に不正確になる恐れがある。
【０００４】
上記の問題のいくつかに対処すべく、並行的な蛍光および吸収読み取りを容易にする市販の蛍光光度計が開発されてきた。しかし、このアプローチでも蛍光再吸収補正のための吸収および発光データをほぼ同時に収集することはない。また、汎用測定器は、吸収および蛍光測定の両者に対応するために設計面で各種の妥協がなされる場合がある。
【発明の概要】
【０００５】
試料を分析するシステムまたは方法は、入力光源、入力光源から光を受光して、複数の波長の各々で試料を順次照射すべく配置された二重減算型モノクロメータ、複数の励起波長の各々について試料により発光された光の複数の波長を受光および検出すべく配置されたマルチチャネル蛍光検出器、試料を透過する光を受光および検出すべく配置された吸収検出器、およびモノクロメータ、蛍光検出器、および吸収検出器と通信状態にあるコンピュータを含み、当該コンピュータはモノクロメータを制御して複数の波長の各々で試料を順次照射しながら、蛍光および吸収検出器から受光した信号に基づいて試料の吸収および蛍光を測定する。
【０００６】
本開示による各種実施形態は、二重減算型モノクロメータからの複数の励起波長で試料を照射するステップと、試料を透過する光を検出することにより試料の吸収を測定するステップと、マルチチャネル検出器を用いて各励起波長について試料により発光された光の発光スペクトルを検出することにより試料の蛍光を測定するステップと、吸収測定値を用いて蛍光測定値を補正するステップとを含む試料分析方法を含んでいる。本方法はまた、モノクロメータからの励起光の一部を受光すべく配置された基準検出器により検出された光度に基づいて吸収および蛍光測定値の少なくとも一方を調整するステップを含んでいてよい。
【０００７】
一実施形態において、水試料を分析するシステムは、ＵＶ強化されたキセノンランプにより実行される入力を有する単色化された励起光源を含んでいる。ランプからの光は、減算型構成に配置された２つの凹面ホログラフィック回折格子を有する二重回折格子モノクロメータを透過して、正確な波長追跡を維持しながらほぼゼロの分散を与えると共に非選択波長の迷光を減らす。ランプ出力は、励起走査の各波長増分で基準ダイオードによる測定／監視され、吸収および／または蛍光測定値を補正または正規化すべく用いることができる。蛍光測定に向けられた励起ビームは、スループット増大のために選択された開口数を有する高速光学機器を用いる。試料および励起光学機器を下回るＦ数を有する吸収検出光学機器を備えた開口部を透過する励起ビームからの実質的に視準された光に基づいて吸収測定値を提供すべくフォトダイオード、ダイオードアレイまたは分光計が含まれていてよく、すなわち、一実施形態において励起光学機器はＦ数が約Ｆ３であることを特徴とし、吸収検出光学機器はＦ数が約Ｆ１１であることを特徴とする。より低速の光学機器に関連付けられた視準光は、吸収読み取り値の正確度および線形性を向上させる。試料の蛍光または発光に付随する光は、励起ビームに略垂直に配置された関連高速光学機器により、ＣＣＤ検出器等の冷却されたマルチチャネル検出器を有する分光器へ向けられ、低レベルの暗雑音を有する高速スペクトル収集を容易にする。蛍光検出器の光学機器に関連付けられたＦ数は吸収検出器光学機器より小さくてもよい。一実施形態において、蛍光検出器光学機器においてＦ数は約Ｆ３である。コンピュータおよび／またはコントローラにより完全な発光スペクトルを集め、これを基準フォトダイオードにより測定された励起ビームの光度により、試料を透過して透過する単一／共通の照射光源からの光に基づく対応吸収データと共に正規化してもよい。
【０００８】
本開示の各種実施形態によるシステムおよび方法は、上記のものに加え多くの利点をもたらす。例えば、本開示による各種実施形態により、水試料内に溶解および／または懸濁された有機および無機物質の定性および定量分析を所望の速度、正確度および精度で行うことが容易になる。本開示による機器および方法は、測定器補正された蛍光励起−発光スペクトルマップ（ＥＥＭ）および吸収スペクトルの高速および同時取得を同時に実行する。各種実施形態には、吸収および蛍光測定値の分析を容易にする専用且つ協調的取得／分析ソフトウェアパッケージが含まれている。単一の測定器による吸収および蛍光データの取得は、異なる測定器により実行された測定における試料間の時間依存する光学的および化学的変化に付随する不正確な相関を軽減または除去する。更に、ほぼ同時に取得した吸収データを用いて、溶解および懸濁された有機および無機化合物に関する豊富な独立データの提供だけでなく、蛍光スペクトル情報の相関計算および補正を行うことができる。本開示による実施形態が提供する励起および発光ビームの自動フィルタリングにより回折格子次数のアーチファクトが除去される。
【０００９】
各種実施形態を用いて、透過された光スペクトルのプロットに加え、蛍光励起波長、発光波長、および光度スペクトルの完全に補正された三次元スペクトルを生成することができる。実施形態は、対応する空試料および未知試料を比較し、蛍光ＥＥＭと透過された光スペクトルとの間に次の処理を施して補正ＥＥＭおよび吸収／透過スペクトル情報を提供することにより動作させることができる。ＥＥＭデータは更に、例えば各種の多変量解析、主成分分析、平行因子分析、および／または二重重畳積分法を含む各種の公知技術を用いて分析して、吸収／蛍光測定値に関連付けられた試料成分を識別および／または定量化することができる。
【００１０】
各種の設計方針、例えば、マルチチャネル検出器を用いる蛍光測定に高速光学機器を使用し、より低速の光学機器を使用して単一のチャネル吸収検出器へ視準された光を提供して長波長から短波長まで励起走査することにより、必要とされる測定時間を短縮して試料材の光誘起による変質または損傷をなくして定量分析が向上する。同様に、個々のスペクトル成分の識別により、多変量分析技術におけるスペクトルライブラリの利用が容易になる。共通の励起光源を用いる同一測定器での吸収および蛍光測定により、内部フィルタ効果の蛍光スペクトルの補正が容易になる。
【００１１】
本開示の上述の利点および他の利点並びに特徴は、添付の図面さ参照しながら好適な実施形態に関する以下の詳細な説明から容易に明らかになろう。
【図面の簡単な説明】
【００１２】
【図１】図１は、本開示の実施形態による試料分析システムまたは方法の中核要素の機能的関係を示す簡略ブロック図である。
【図２】図２は、本開示の実施形態による試料分析システムまたは方法における制御およびデータ信号の機能的通信を示す簡略ブロック図である
【図３】図３は、本開示の一実施形態による試料分析システムまたは方法の動作を示す模式図である。
【図４】図４は、図１に示す実施形態の透視図である。
【図５】図５は、本開示の各種実施形態による試料分析システムまたは方法に用いる減算型二重モノクロメータの透視図である。
【図６】図６は、本開示の別の実施形態による試料分析システムまたは方法の動作を示す模式図である。
【図７】図７は、本開示の各種実施形態による、試料および空試料を対応する吸収検出器で照射すべく二重ビーム装置を用いる試料分析システムまたは方法の動作を示す模式図である。
【図８】図８は、本開示の各種実施形態による、試料および空試料を単一の吸収検出器および関連付けられたチョッパーで照射すべく二重ビーム装置を用いる試料分析システムまたは方法の動作を示す模式図である。
【図９】図９は、本開示の各種実施形態による、吸収経路における直接照射および吸収検出用の分光器を用いる試料分析システムまたは方法の動作を示す模式図である。
【図１０】図１０は、本開示の各種実施形態による試料分析システムまたは方法の代表的な吸収測定を示す説明図である。
【図１１Ａ】図１１Ａは、本開示の実施形態による試料分析システムまたは方法における代表的な吸収および蛍光測定値を取得すべく選択可能な動作モードを示す説明図である。
【図１１Ｂ】図１１Ｂは、本開示の実施形態による試料分析システムまたは方法における代表的な吸収および蛍光測定値を取得すべく選択可能な動作モードを示す説明図である。
【図１２】図１２は、本開示の実施形態による試料分析システムまたは方法の動作を示すフローチャートである。
【発明を実施するための形態】
【００１３】
本開示によるシステムおよび方法の各種の代表的な実施形態について詳述する。しかし、代表的な実施形態は例示的に過ぎず、本開示によるシステムおよび方法を各種の代替的な形式で実現できることを理解されたい。各図面は必ずしも一定比率で描かれている訳ではなく、特定の成分の詳細を示すためにいくつかの特徴は誇張または縮小している場合がある。従って、本明細書に開示する特定の構造および機能的な詳細が限定的なものではなく、単に当業者に本発明の各種利用形態を教示する基礎的表現として解釈すべきである。
【００１４】
当業者には、いずれかの図面に例示および記述された本開示の各種特徴を、他の１つ以上の図面に示す特徴と組み合せることにより、明示的に例示または記述されていない本開示の実施形態を生じ得ることが理解されよう。例示する特徴の組合せは、典型的な用途の代表的な実施形態を提供する。しかし、特定の用途または実装のために本開示の教示と矛盾しない各種の特徴の組み合せおよび変更形態が求められる場合もある。
【００１５】
図１に、試料分析システムまたは方法の各種の要素間の機能的関係を示す簡略ブロック図を示す。システム２０は、例えば約２４０〜２５００ｎｍの間に波長を有する広スペクトル入力光を出力する入力光源２２を含んでいる。一実施形態において、入力光源２２は、１５０ＷのＵＶ強化された無オゾンキセノンアークランプにより実装されている。無論、入力光源の選択は一般に、用途および実装に応じて異なる。光源２２は、システムエネルギー効率を向上させるべく光を励起モノクロメータ２４の入力へ略向ける関連光学機器を含んでいてよい。励起モノクロメータ２４は、本開示による各種実施形態における二重減算型モノクロメータにより実装されている。本開示による励起光源として二重減算型モノクロメータを用いることにより、分散がほぼゼロになり、波長追跡の正確度が向上し、非選択波長の迷光が減少して、各種の従来技術方式に比べて測定器の感度が向上する。二重減算型モノクロメータ２４は、入力光源２２から光を受光して、試料および／または空試料２８を複数の波長の各々で順次照射すべく配置されている。当業者には知られているように、モノクロメータ２４等のモノクロメータは、広スペクトル入力光源２２から狭波長帯域を選択して狭帯域またはほぼモノクロの出力を提供すべく制御することができる。例えば、一実施形態において、二重減算型モノクロメータ２４は、約５ｎｍの選択波長の励起帯域通過または帯域幅を提供し、約１１００ｎｍの開始波長から約２２０ｎｍの終了波長まで１ｎｍ等の指定された増分で走査すべく制御される。ＵＶ照射の吸収は、試料内のＣＤＯＭを「漂白」してその光学濃度および吸収容量を減らすことができるため、迷光または長期にわたる測定サイクルから短波長光への露光を制限することが望ましい。試料内での漂白または光誘起反応を減らすべく、本開示の各種実施形態によれば励起走査は長波長から短波長へ進むことができる。
【００１６】
光源２２からのランプ出力は、一実施形態においてシリコンフォトダイオードにより実装されている基準検出器２６により測定／監視される。モノクロメータ２４の励起走査の各波長増分における測定値を用いて、吸光または吸収検出器３０およびマルチチャネル蛍光検出器３２の吸収および／または蛍光測定値を補正または正規化することができる。図に示すように、モノクロメータ２４から出る励起光は、一般にＦ／Ｎ１で表す関連開口数またはＦ数を特徴としてもよい関連光学機器３４を用いて、試料および／または空試料２８を透過する方向に向けられている。試料および／または空試料２８を略直接に透過する光は、一般にＦ／Ｎ２で表す開口数またはＦ数を特徴としてもよい少なくとも１つの光学素子３８により吸光または吸収検出器３０へ向けられている。モノクロメータ２４からの励起光に略垂直または法線方向に発光された光は、光学機器３４に等しいかまたは同様の、一般にＦ／Ｎ３で表す関連開口数またはＦ数を特徴としてもよい光学機器３６により、マルチチャネル蛍光検出器３２へ向けられている。各種実施形態において、高速光学機器を用いて光を試料／空試料２８へ向け、より低速な光学機器を有する蛍光検出器３２を用いて、Ｎ２がＮ１より大きくなるように、実質的に視準された光を吸収検出器３０に提供する。例えば、一実施形態において、光学機器３４、３６は、Ｆ数がＦ／３であることにより特徴付けられていてモノクロメータ２４および試料２８からの光を高スループットで蛍光検出器３２へ向けるべく配置された高速光学機器であるのに対し、光学機器３８は、試料／空試料２８からの直接の光が、Ｆ数がＦ／１１であることを特徴とする吸収検出器３０へ実質的に視準されたビームを提供する少なくとも１つの光学素子を含んでいる。このように、本実施形態ではＮ１＝Ｎ３＜Ｎ２である。しかし、本明細書で更に詳細に記述するように、各種実施形態は、Ｎ２＞Ｎ１且つＮ１≧Ｎ３であるＦ数を有していてよい。一般に、励起光学機器のＦ数より大きい（またはより遅い）Ｆ数を特徴とする吸収光学機器を提供すべく光学要素を選択および配置することにより、吸収検出の線形性および正確度が向上する。同様に、蛍光光学機器のＦ数より大きいＦ数を特徴とする吸収光学機器を提供すべく光学機器を選択および配置することにより、蛍光信号のより高いスループットと共により感度の高い蛍光検出が得られる。
【００１７】
マルチチャネル蛍光検出器３２は、複数のモノクロメータ２４により選択された励起波長（または波長帯域）の各々について試料および／または空試料２８により発光された光の複数の波長を受信および検出すべく配置されている。複数の光の波長を同時に検出するマルチチャネル検出器３２を用いることにより、そうでない場合に単一チャネル走査検出器の使用に伴うデータ収集時間が短縮される。走査回数が減少することもまた、そうでない場合に光に起因する試料の変化が生じ得る励起波長への露光時間を短縮させる。無論、特定の用途および実装に応じて、単一チャネル走査検出器を用いてもよい。
【００１８】
また、図１に示すように、基準検出器２６、吸収検出器３０、および蛍光検出器３２は、図２に示すように、関連付けられたデータチャネル上の信号を１つ以上のコンピュータまたはプロセッサに出力することができる。一実施形態において、中央処理装置またはコンピュータへ、基準検出器２６がデータ信号「Ｒ」を提供し、吸収検出器３０がデータ信号「Ｉ」を提供し、蛍光検出器３２が対応データチャネル上のデータ信号「Ｓ」を提供する。
【００１９】
図２は、本開示の実施形態による試料分析システムにおける各種要素の機能的接続を示すブロック図である。要素２０は、１つ以上のポート４２を介して少なくとも１つのプロセッサまたはコンピュータ４０に結合されている。一実施形態において、コンピュータ４０は、ＵＳＢポート４２および電子回路／ハードウェア５０、５２を介して各種要素２０と通信するデータ処理、分析、および制御ソフトウェアを含んでいる。電子機器５０、５２は、ポート４２を介したコンピュータ４０との通信のために関連付けられたアクチュエータ／センサへの／からの信号を変換すべくフィルタリング、処理、調節、フォーマッティング等を行う各種の信号を提供する。一実施形態において、外部トリガ信号４４もまた、各種測定器の機能を起動すべく電子機器５０に提供することができる。同様に、トリガ入力／出力信号は、各種測定器要素２０の制御を調整すべく電子機器５０、５２の間でやり取りすることができる。
【００２０】
図２に示すように、ソフトウェアおよび／またはハードウェアによりコンピュータ５０上に実装されている制御ロジックは、Ｉ／Ｏポート４２および電子機器５０を介して、例えばシャッター６０、励起モノクロメータ６２、検出器データチャネル６４、６６、６８、試料チェンジャ７０、およびフィルタホイール７２用に対応データ／制御信号を送信／受信することができる。同様に、第２のＩ／Ｏポート４２を用いて、電子機器５２を介して対応データ／制御信号を蛍光分光器に関連付けられたＣＣＤカメラ７４に送信することができる。シャッター制御部６０を用いて、試料／空試料２８の上流に配置されたシャッターを制御して、実験または測定を実行する前に光源２２を安定化させながら、試料／空試料２８を選択的に照射してその露光を制限することができる。コンピュータ４０からの信号を用いて、開始および終了走査波長、波長増分等を制御すべく関連付けられた励起制御部６２を介してモノクロメータ２４を制御することができる。図２に示す実施形態において、補助「Ａ」チャネル６４を用いて任意選択の要素を制御することができる。データチャネル６６は吸収検出器３０に関連付けられたデータ信号「Ｉ」を送信し、データチャネル６８は基準検出器２６に関連付けられたデータ信号「Ｒ」を送信する。本明細書に図示およびより詳細に記述する関連試料チャンバ内で１つ以上の試料の位置決めを自動化すべく試料チェンジャ制御部７０が任意選択で設けられていてよい。励起走査が所望の励起波長の範囲を進行するにつれて不要なオーダーの光を減少または除去すべく適切なフィルタの位置決めを自動的に行うべくフィルタホイール制御部７２が任意選択で設けられていてよい。図２に示す実施形態において、蛍光検出器データは、関連付けられたデータチャネル７４を介して蛍光分光器に関連付けられたマルチチャネル撮像ＣＣＤカメラからコンピュータ／プロセッサ４０へ電子機器５２および第２のポート４２を通して提供される。
【００２１】
図１および２に一般的に示すように、本開示による試料分析システムの各種実施形態は入力光源２２、入力光源２２から光を受光してモノクロメータ２４により選択された複数の波長の各々で試料（および／または空試料）２８を順次照射すべく配置された多またはマルチフェーズ減算型モノクロメータ２４を含んでいる。本システムは、複数の励起波長の各々について試料により発光された光の複数の波長を受信してほぼ同時に検出すべく配置されたマルチチャネル蛍光検出器３２を含んでいる。吸収検出器３０は、試料／空試料２８を透過する光を受光および検出すべく配置されている。コンピュータ４０は、電子機器５０、５２およびポート４２を介してモノクロメータ２４、蛍光検出器３２、および吸収検出器３０と通信状態にある。コンピュータ４０は、蛍光および吸収検出器３２、３０から各々受信した信号に基づいて試料／空試料２８の吸収および蛍光を測定しながら、試料／空試料２８を選択された複数の波長の各々で順次照射すべくモノクロメータ２４を制御する制御ロジックを含んでいる。基準検出器２６は、電子機器５０およびポート４２を介してコンピュータ４０と通信状態にあって、モノクロメータ２４から基準検出器２６へ光の一部を向けるべく配置された関連ビームスプリッタ（図３）と協働する。コンピュータ４０は、基準検出器２６からの信号に基づいて吸収および蛍光測定値の少なくとも１つを調整することができる。
【００２２】
図３は本開示による試料分析システムまたは方法の一実施形態の要素位置決めを示す模式的平面図であり、図４は透視図である。システム２０は、システム効率を向上させるべく電球、蛍光管（ｔｕｂｅ）またはＬＥＤにより発光された光を集光すなわち集めるために用いる１つ以上の関連光学素子または要素８０、８２を備えた入力光源２２を含んでいる。図示する実施形態において、光源２２は、電球からの光を所望の出力方向へ向ける凹面鏡または反射器８０および後部反射器８２を含んでいる。光源２２からの光は反射器８２によりモノクロメータ入力鏡８４へ向けられ、モノクロメータ入力鏡８４は光を二重減算型モノクロメータ２４の入力９０へ向ける。モノクロメータ２４は、略垂直に整列配置された第１および第２の凹面回折格子９２、９４を含んでいる（図５に最も分かり易く示す）。回折格子９２、９４は、制御信号に応答して選択的に配置され、モノクロメータ入力９０に略垂直に整列配置された出力スリット９６を、励起波長の対応する選択された帯域を有する回折光で照射する。シャッター１０４をモノクロメータ２４内に組み込むかまたは測定器内の任意の適当な位置に配置して、入力光源２８が適切な動作温度に到達して安定化させながら、走査測定の間だけ試料２８の照射を制御または制限するようにしてもよい。
【００２３】
少なくとも１つの光学素子が、モノクロメータ２４の出力９６からの光を試料２８へ向けるべく配置されている。図示する実施形態において、平面モノクロメータ出力鏡９８は、モノクロメータ２４からの発散光を、一実施形態においてＦ数が約Ｆ／３であることを特徴とする凹面または環状鏡１００へ向ける。環状鏡１００からの収束光は、モノクロメータ２４からの入射光の第１の部分を基準検出器２６の方へ、および入射光の第２の部分を試料２８へ向けるべく配置されたビームスプリッタ１０２へ向けられる。基準検出器２６は、例えば、シリコンフォトダイオードにより実装されていてよい。基準検出器２６は、測定値を用いて吸収および蛍光検出器の両方を正規化すべく配置されていてよい。
【００２４】
ビームスプリッタ１０２を透過する光は、試料チャンバ１１０内に入り、測定走査を行う間、試料および／または空試料２８を照射する。試料２８をほぼ直接的に透過する光は、試料チャンバ１１０から出て、吸収検出器３０を照射する前に開口１１２を透過する。一実施形態において、開口１１２の大きさは、Ｆ数が約Ｆ／１１であることを特徴とするほぼ視準された光を、シリコンフォトダイオード等の単一チャネル検出器により実装可能な吸収検出器３０に提供すべく決定されている。吸収検出器３０用に低速の光学機器を用いることで吸収検出の正確度および線形性が向上する。このように、本開示による各種実施形態は、吸収測定光学機器よりも高速な励起および蛍光測定光学機器を用いて、ほぼ同時に行われる吸収測定の線形性および正確度を向上させるべく試料を通って吸収検出器へ透過される光の光度を制限しながら、試料の照射および蛍光により発光された比較的低い光度の光を測定すべくより高い光スループットを提供する。他の実施形態では、フォトダイオードアレイ（ＰＤＡ）等のマルチチャネル検出器を用いて吸収測定値を得ることができる。これにより走査時間を短縮できるが、３Ｄスペクトルを得るためにほぼ同時の測定を行い易くはならない。本明細書に更に詳細に記述するように、いくつかの実施形態では吸収測定を提供すべく分光器を備えた吸収検出器３０を実装することができる。
【００２５】
ビームスプリッタ１０２を透過する励起光に略垂直な試料２８により発光された光は、関連開口を通って試料チャンバ１１０から出て、凹面または環状鏡１１４および平面鏡１１６によりマルチチャネル蛍光検出器３２へ反射される。図示する実施形態において、マルチチャネル蛍光検出器３２は、入力光を回折させてその成分周波数／波長を冷却ＣＣＤ検出器１２２全体に広げる凹面回折格子１２０を有する撮像分光器により実装されている。マルチチャネル蛍光検出器３２を用いることにより、二重減算型モノクロメータ２４の各励起波長に付随する蛍光スペクトルのほぼ同時測定が容易になり、単一チャネル走査蛍光検出器を用いる測定器に比べて測定値の取得時間が大幅に短縮する。
【００２６】
図５は、本開示の各種実施形態による試料分析システムまたは方法で用いられる二重減算型モノクロメータ２４の構成要素を示す透視図である。モノクロメータ２４は、励起波長の対応する選択された帯域を有する回折光で出力スリット９６を照射すべく選択的に配置された第１および第２の凹面回折格子９２、９４を含んでいる。動作中、入力光源からの光は、入力開口９０を通って入り、第１の凹面回折格子９２に入射する。回折格子９２からの回折光は、第１の鏡１３６により、第２の鏡１３８へ、および第２の回折格子９４へ、および出口９６へ反射される。第１および第２の凹面回折格子９２、９４は、第１の凹面回折格子９２の出力が、迷光（すなわち非選択波長の光）の振幅を減らしながら、第２の凹面回折格子９４への入力として作用して出口９６での出射励起ビームの分散がほぼゼロになるように減算型構成に配置されている。迷光が減ることにより、試料を照射する不要な紫外線（散乱により影響されやすい）を減少または除去して漂白を少なくすると共に、より高いスペクトル解像度が得られる。同様に、スペクトルがランダムに混合されためより正確な吸収測定が可能になる。
【００２７】
無論、他の各種のモノクロメータ構成を用いて、特定の用途または実装用に所望の性能仕様を満たすことができる。例えば、一体化された凹面回折格子ではなく、１つ以上の別々の回折格子／鏡を有するモノクロメータ構成を用いてもよい。同様に、分散性能が余り重要でない場合、減算型構成は必要でないこともある。同様に、複数のモノクロメータ内で３つ以上の位相を組み合せて、更に迷光を減らすおよび／または他の各種の性能要件を実現することができる。一般に、減算型構成に配置された少なくとも２つの凹面回折格子を有する複数のモノクロメータを用いて、各種の用途に適した所望の迷光遮断を実現して分散をほぼゼロにすることができる。
【００２８】
図６は、本開示による試料分析システムまたは方法の別の実施形態を示す簡略模式図である。システム２００は、楕円反射器２０４により入力光が二重減算型モノクロメータ２０８へ向けられた入力光源２０２を含んでいる。反射器２０４からの光は、平面鏡２０６の下または背後を通ってモノクロメータ２０８の入力開口２２０まで進む。入力光は、上述のように第１の凹面回折格子２１０により、ステアリングミラー２１２、２１４および第２の凹面回折格子２１６へ回折される。回折格子２１０、２１６は、付随する光が出口開口２２２を通って平面鏡２０６のレベルでモノクロメータから出る所望の励起波長を選択すべく選択的に配置されていてよい。平面鏡２０６は、選択波長の発散励起光をＦ／３に対応する開口数を有する環状鏡２３０へ向ける。環状鏡２３０は、収束光をビームスプリッタ２３２へ向け、ビームスプリッタ２３２は入射光の一部を基準フォトダイオード２３４へ向きを変える一方、残りの部分を試料２３６へ透過させる。試料２３６を透過する光は、吸収フォトダイオード２４０に関するＦ／１１に対応する開口数を与える開口を有するバッフル２３８へ入射する。バッフル／開口２３８は、吸収フォトダイオード２４０に与えられた光を視準すべく動作可能である。
【００２９】
励起光に略垂直な試料２３６により発光された光は全て、Ｆ／３に対応する開口数を有する第２の環状鏡２５０により集光される。環状鏡２５０は、収束ビームのほぼ発散する光を、ビームステアリングミラー２５２を介して撮像分光器２６０の入力へ向きを変える。撮像分光器は、冷却ＣＣＤ２６４上での撮像のために入力光をその成分波長に分割して、二重モノクロメータ２０８から送られた複数の励起波長の各々について複数の波長スペクトルを収集可能にする収差補正済み回折格子２６２を含んでいる。冷却ＣＣＤ検出器２６４を用いることにより、測定器感度が向上して当該測定器が広範な用途、特に例えば水質分析および付随するＣＤＯＭ測定に関連する用途に適するように、暗雑音が減って信号／雑音比率（ＳＮＲ）が向上する。
【００３０】
図７は、本開示の各種実施形態による、試料および空試料を共通の励起ビームで照射すべく二重ビーム装置を用いる試料分析システムまたは方法の動作を示す模式図である。システム２８０は、入力光源２０２、楕円鏡２０４、平坦または平面鏡２０６、および図６に示す構成と同様の二重モノクロメータ２０８を含んでいる。同様に、モノクロメータ２０８からの励起光が環状鏡２３０へ向けられている。追加的なビームステアリングミラー２８２が、光の一部を空試料２８８を通ってステアリングミラー２８６へ反射させることにより二重励起ビームを生成する取り外し可能なビームスプリッタ２８４の方へ励起ビームの向きを変えるべく配置されている。空試料２８８を透過する光は、バッフル／開口２９０に入射し、関連付けられた空試料吸収検出器２９２をほぼ視準された光が透過する。
【００３１】
取り外し可能なビームスプリッタ２８４を透過する光の一部は、上述のようにビームスプリッタ２３２により基準フォトダイオード２３４へ向きが変えられる。ビームスプリッタ２３２により透過された光は、試料２３６を通ってステアリングミラー２９４により向きを変えられる。試料２３６を透過する光は、バッフル／開口２３８に入射し、光の一部は吸収フォトダイオード２４０に当たる。
【００３２】
図７に示す二重ビーム装置により、空試料２８８および試料２３８の吸収測定値をほぼ同時に収集することができる。取り外し可能なビームスプリッタ２８４は、励起ビームの光度を増大させて試料２３６の蛍光測定の感度を向上させるべく試料２３６の蛍光測定値の間、手動または自動的に取り外しまたは位置変更を行うことができる。上述の実施形態と同様に、励起ビームに略垂直な試料２３６により発光された光は、環状鏡２５０により、上述のように所望の測定器特徴を提供すべく冷却ＣＣＤを有する撮像分光器により実装可能なマルチチャネル蛍光検出器２６０へ向けられている。
【００３３】
図８は、本開示の各種実施形態による、単一の吸収検出器および関連付けられたチョッパーで試料および空試料を照射すべく二重ビーム装置を用いる試料分析システムまたは方法の動作を示す模式図である。図８の構成は、同一番号を付された素子の構造および機能に関して図７の構成に類似している。しかし、図８の実施形態では、バッフル／開口２９０を透過する空試料２８８からの光は、鏡３０６によりチョッパー３０８へ向きが変えられている。同様に、バッフル／開口２３８を透過する試料２３６からの光は、鏡３１２によりチョッパー３０８へ向きが変えられている。チョッパー３０８は、単一の吸収検出器を用いて空試料２８８および試料２３６の両方の吸収測定が行えるように空試料２８８または試料２３６のいずれかからの光を吸収検出器３１０の方へ選択的に向ける。チョッパー３０８は、空試料２８８および試料２３２からの対応する測定値が順次、但しほぼ同時に取得されるように制御することができる。
【００３４】
図９は、本開示の各種実施形態による、吸収経路における直接照射および吸収検出用の分光器を用いる試料分析システムまたは方法の動作を示す模式図である。システム３６０は、同一番号を付された素子に関して上述のような構造および機能を有する各種の構成要素を含んでいる。図９の実施形態において、入力光源２０２からの光の一部を用いて、吸収測定のために空試料２８８を直接照射する。ビームスプリッタ３２０は、素子３２２を通る光源２０２から光の一部の向きを変える。環状鏡３２４は、空試料２８８を照射する前に、ステアリングミラー３２６により向きが変えられてバッフル／開口２９０を透過する収束ビームを形成する。空試料２８８を透過する光は、本実施形態では分光器により実装された環状鏡３３０により吸収検出器３４０へ向けて反射される。
【００３５】
蛍光測定値は、試料２３６から励起ビームに対して直角に発光された光から分光器３５０を用いて得られる。選択波長の光は、二重モノクロメータ２０８から出て、平面鏡２０６、環状鏡２３０および平面鏡３４２により、ビームスプリッタまたはウインドウ２３２を透過して試料２３６へ向きが変えられる。上述のように、ウインドウまたはビームスプリッタ２３２が、入射光の一部を基準フォトダイオード２３４へ向ける。試料２３６から発光された光は、環状鏡２５０により集光され、分光器３６０へ向きが変えられる。本実施形態では、試料コンパートメントが、試料セル２３６および空セル２８８を入れ替えるべく回転可能に構成されている。
【００３６】
図１０に、本開示の各種実施形態による試料分析システムまたは方法の代表的な吸収測定を示す。上述のように、各種実施形態は、励起走査および生じたデータの後続分析用の取得を制御すべく、二重減算型モノクロメータ、マルチチャネル蛍光検出器、吸収検出器、および基準検出器と通信状態にあるコンピュータ（図２）を含んでいる。図１０に一般的に示すように、コンピュータは、空試料および試料の吸収測定を実行すべくソフトウェアおよび／またはハードウェアで実装された制御ロジックを含んでいてよい。ブロック４００は、測定チャンバ内に空試料を配置して、シャッターが閉じていて空試料を照射する励起光が無い状態でのベースラインダークリーディングを含む一連の測定を実行することにより、空試料の吸収スペクトルを取得するステップを表す。測定は、吸収検出器からの関連付けられた「Ｉ」データおよび基準検出器からの「Ｒ」データをコンピュータが保存した状態で、モノクロメータを制御して第１の選択波長を提供することにより進行する。コンピュータは、基準データを用いて吸収データを補正または正規化することができる。この処理は、所望の終了波長に到達するまで波長を増分させながら繰り返される。ブロック４０２で表すような空試料が測定位置に置かれた状態での励起走査の出力は、４０４で表すような次の測定値のために保存することができる。
【００３７】
以前にデータが保存されている空試料の場合、ユーザーは新たに励起走査を実行するのではなくブロック４００で表すように対応データファイルを取り出すことができる。試料の測定は次いで、ブロック４０６で表すように完了することができる。試料は、対応する空白ファイルが指定された状態で測定チャンバ内の位置に置かれる。測定は、モノクロメータにより選択された各波長について同様に進行し、吸収検出器および基準検出器から得られたデータが４０８で示すように補正または正規化される、すなわちＩ＝Ｉｃ／Ｒｃ。
透過率（Ｔ）が％Ｔ＝（Ｉｓａｍｐｌｅ／Ｉｂｌａｎｋ）＊１００で計算され、吸収率がＡｂｓ  ＝−ｌｏｇ（Ｉｓａｍｐｌｅ／Ｉｂｌａｎｋ）で計算される。この結果は、例えば４１０に示すように、励起波長の関数としてプロットすることができる。無論、特定の用途および実装に応じて他の各種のデータ取得および分析技術を用いてもよい。
【００３８】
図１１Ａおよび１１Ｂに、本開示の実施形態による試料分析システムまたは方法における代表的な吸収および蛍光測定値を取得すべく選択可能な動作モードを示す。上述のように、本開示による各種実施形態は、特に水質分析およびＣＤＯＭの定量化に適した特徴を含んでいる。例えば、本実施形態では、試料コンパートメントは、図９を参照しながら上で図示および記述したように試料セルと空セルを入れ替えるべく回転可能に構成されている。このように、以下の代表的な動作モードは、水質分析用途に関して記述している。同様の意モードまたは測定を他の用途で実行することもできる。
【００３９】
ＣＤＯＭ試料セルおよび空試料のセルが、ブロック５００で表すように試料コンパートメントに置かれる。ユーザーは次いで、ブロック５０２で表すように走査タイプを選択する。図示する実施形態において、動作モードまたは走査種別はブロック５１０で表すようにＥＥＭ（吸収）測定５０４、発光（蛍光）測定５０６、吸収測定５０８、および動力学（フローセル／クロマトグラム）分析を含んでいる。ＥＥＭ（吸収）測定５０４は空試料５２０および試料５２２に対しても同様に進行する。上述のように、特定の空試料に関連付けられたデータは、以前に格納されたファイルが利用可能ならばそこから取得できる。さもなければ、空試料の測定データは、本例で２４０ｎｍ〜６００ｎｍの範囲にある複数の励起波長で空試料を照射することにより得られる。各励起波長について送信された光度データは、上述のように吸収検出器および参照検出器信号を用いて決定される。マルチチャネルＣＣＤ蛍光検出器で測定された発光スペクトルデータは各励起波長について収集される。データは次いで、励起、発光および光度に関して補正される。一実施形態において、データは、以下に詳述するように内部フィルタ効果を除去すべく補正される。空試料および試料からのデータを用いて、ブロック５２４で表すように、透過（Ｔ）、吸収（Ａ）、およびＥＥＭを計算する。当該ソフトウェアにより、ユーザーは、自動的にデータを分析して測定および分析されたデータを表示することにより取得時間を短縮すると共にユーザーによる手動データ分析を軽減または無くする所望の方法を選択することができる。
【００４０】
発光測定５０６の選択は、ブロック５３０で表すように空試料についてデータを収集したＥＥＭ測定５０４と同様に進行する。しかし、開始から終了波長まで自動的に且つ順次走査するのではなく、ブロック５３０で示すように単一の励起波長が選択される。同様に、ブロック５３２に示すように試料に対して単一の励起波長が選択される。次いで補正された空試料および試料データを用いて、ブロック５３４で表すように内部フィルタ効果を減少または除去すべく透過（Ｔ）、吸収（Ａ）およびＥＥＭを決定する。
【００４１】
また図１１に示すように、吸収測定５０８の選択は、ブロック５４０で表すように空試料について、およびブロック５４２で表すように試料についてデータを収集したＥＥＭ測定５０４と同様に進行する。ブロック５４０に示すように、励起波長は、選択された開始波長から選択された終了波長まで、本例では１１００ｎｍ〜２４０ｎｍの範囲で走査される。各励起波長について、透過光度が吸収検出器信号に基づいて集められ、少なくとも１つの対応基準検出器信号に基づいて光度が補正される。次いで空試料および試料データを用いて、ブロック５４４で表すように透過（Ｔ）および吸収（Ａ）を計算する。
【００４２】
フローセルを備えた測定器は、ブロック５１０で表すような動力学的分析を実行することができ、ブロック５５０で表すように空試料について、およびブロック５５２で表すように試料について同様の測定値が集められる。励起波長だけでなく測定積分時間および増分も選択される。送信された光度データは次いで、選択された励起波長について収集される。発光スペクトルデータ（複数波長）もまたマルチチャネル蛍光検出器から収集され、当該データは内部フィルタ効果を除去すべく励起、発光および光度が補正される。次いで空試料データおよび試料データを用いて、ブロック５５４で表すように透過（Ｔ）、吸収（Ａ）および発光データを時間の関数としてプロットする。
【００４３】
本開示による実施形態は、蛍光励起−発光マッピング（ＥＥＭ）と吸収分析を調整するベンチトップ分析研究用測定器を提供するものであり、懸濁および溶解された有機および無機物質の水質分析に特に適しているが、ＥＥＭを必要とする食品科学およびその他の用途、並びに定性的および定量的分析が可能になった吸収分析にも適している。上述の測定／計算以外にも、各種実施形態は、標準分解、主成分分析（ＰＣＡ）等と称されることもある、平行因子分析（ＰＡＲＡＦＡＣ）を容易にするＭａｔＬａｂおよびＥｉｇｅｎｖｅｃｔｏｒ等、多くの市販されている多変量解析パッケージへ／からのデータ転送機能を提供する。
【００４４】
図１２は、本開示の実施形態による試料分析システムまたは方法の動作を示すフローチャートである。本システムまたは方法は、ブロック６００で表すように二重減算型モノクロメータにより発光された複数の励起波長で試料および／または空試料を順次照射するステップを含んでいる。本システムまたは方法はまた、ブロック６０２で表すようにマルチチャネル検出器を用いて、試料を透過する光を検出することにより試料／空試料による吸収を、および各励起波長について試料により発光された光の発光スペクトルを検出することにより試料の蛍光を測定するステップを含んでいる。吸収および蛍光は、両方の測定値がほぼ同時に得られるように同一または共通の励起ビームを用いて測定することができる。本システムおよび方法はまた、ブロック６０４で表すように吸収測定値を用いて蛍光測定値を補正するステップを含んでいてよい。例えば、一実施形態において、次式を用いることができる。
Ｆｉｄｅａｌ＝Ｆｏｂｓｅｒｖｅｄ*ｅｘｐ（（ＯＤｅｘ＋ＯＤｅｍ）／２）
ここに、Ｆｉｄｅａｌは内部フィルタ効果が存在しない場合に期待される理想的な蛍光信号スペクトルを表し、Ｆｏｂｓｅｒｖｅｄは観察された蛍光を表し、ＯＤｅｘおよびＯＤｅｍはＥＥＭの各励起および発光波長座標で測定された吸収値を表す。また、本システムまたは方法は、ブロック６０６で表すように、モノクロメータから光の一部を受光すべく配置された基準検出器により検出される光度に基づいて吸収測定値を調整するステップを含んでいてよい。
【００４５】
上述の代表的な実施形態に示すように、本開示による試料分析システムおよび方法は、水試料内の溶解および／または懸濁された有機および無機物質の所望の速度、正確度および精度での定性的および定量的分析を容易にすべく吸収および蛍光の同時測定を提供する。単一の測定器での吸収および蛍光データの同時取得により、測定値間の試料の時間に依存する光学的および化学的変化に付随する不正確な相関を軽減または除去する。更に、同時に取得した吸収データを用いて、溶解および懸濁された有機および無機化合物に関する豊富な独立データの提供だけでなく、蛍光スペクトル情報の相関計算および補正を行うことができる。励起および発光ビームの自動フィルタリングにより回折格子次数のアーチファクトが除去される。
【００４６】
複数の回折格子励起モノクロメータが組み込まれたシステムおよび方法は、レイリー散乱に対する優れた迷光遮断および高いＵＶ感度を有する回折格子次数を提供する。励起監視および補正に基準ダイオードを用いることにより、蛍光励起スペクトルの追跡可能な光学的補正が行うことができるようになり、任意の入力ランプドリフトが補償される。試料、空試料およびフローセルに対応可能なモジュラー試料コンパートメントを用いることで、汚染を減少または除去しながら、自動サンプリングおよびオンライン監視用の空試料の補正（減算）およびフローが容易になる。蛍光測定用の高速光学機器により、蛍光感度のスループットおよび水ラマン散乱用のＳＮＲが向上する。蛍光発光分光計用の撮像検出器として冷却ＣＣＤを用いることにより、高速データ収集を高いＵＶ−ＶＩＳ検出感度および低い暗雑音で行うことができるようになる。同時吸収測定により、試料内で内部フィルタ効果から生じる再吸収された蛍光信号の補正が、各種の従来技術測定器により実装された吸収測定よりも良好に行い易くなる。同様に、適切に開口された吸収光学機器により、線形性および正確度を向上させる視準されたビームが得られ、低コストのシリコンフォトダイオード検出器の使用が容易になる。
【００４７】
例示的な実施形態について上で述べているが、これらの実施形態が本開示による試料分析システムまたは方法の全ての可能な形式を記述することは意図していない。本明細書で用いる語句は、限定的でなく説明用の語句であって、本開示の趣旨および範囲から逸脱することなく各種の変更を行うことができる点を理解されたい。上述のように、各種の代表的な実施形態の特徴を、明示的に図示または記述しない方法で組み合せて更なる実施形態を形成することができる。各種実施形態を、１つ以上の所望の特徴に関して他の実施形態よりも利点があるかまたは好適であるように記述した場合もあるが、当業者には、特定の用途および実装に応じて所望のシステム属性を実現するために１つ以上の特徴を犠牲にする場合もあることが認識されよう。これらの属性には、コスト、強度、耐久性、ライフサイクルコスト、市場性、外観、包装、大きさ、サービス性、重量、製造可能性、組み立ての容易さ、動作等が含まれるが、これに限定されない。１つ以上の特徴に関して他の実施形態または従来技術での実装よりも望ましくない旨で記述された本明細書のいずれの実施形態も本開示の範囲に含まれており、特定の用途には望ましい場合がある。
【図１】
2014510915.tif 000003
【図２】
2014510915.tif 000004
【図３】
2014510915.tif 000005
【図４】
2014510915.tif 000006
【図５】
2014510915.tif 000007
【図６】
2014510915.tif 000008
【図７】
2014510915.tif 000009
【図８】
2014510915.tif 000010
【図９】
2014510915.tif 000011
【図１０】
2014510915.tif 000012
【図１１Ａ】
2014510915.tif 000013
【図１１Ｂ】
2014510915.tif 000014
【図１２】
2014510915.tif 000015
【国際調査報告】
2014510915.tif 000016
2014510915.tif 000017